(57)【要約】【課題】携帯電話機の使用が他人迷惑とならないように携帯電話機の使用を制御する。【解決手段】携帯電話機２が、入口エリア４Ｘの携帯電話機制御装置１Ｘ１の電波照射エリアに入ると、携帯電話機制御装置１Ｘ１によって携帯電話機２の電源部１７がオンされる。携帯電話機２が次に、入口エリア４Ｘの携帯電話機制御装置１Ｘ２の電波照射エリアに入ると、携帯電話機制御装置１Ｘ２によって携帯電話機２の電源部１７がオフされる。ユーザが閉空間３から出口エリア４Ｙへ出ると、携帯電話機２は、携帯電話機制御装置１Ｙによって電源部１７がオンされる。【選択図】図１
2010068392.tif 000002
【特許請求の範囲】
【請求項１】
閉空間に入り、該閉空間から出ようとするユーザが持った携帯電話機を制御する方法であって、
ＲＦＩＤで使用できる無線帯の相異なる複数の所定の周波数の電波を用い、前記閉空間の入口にユーザが入ると、前記携帯電話機の電源がオンでなければオンにした後、該携帯電話機を、電源オフまたは所定の動作モードの状態にし、その後前記ユーザが前記閉空間の出口に出てくると、前記携帯電話機の電源を、前記携帯電話機が電源オフの状態ならばオンにし、前記携帯電話機が所定の動作モードであるならば、該モードを解除する、携帯電話機の制御方法。
【請求項２】
自動車内での携帯電話機を制御する方法であって、
ＲＦＩＤで使用できる無線帯の相異なる複数の所定の周波数の電波を用い、ドライバが自動車のエンジンを始動させると、ドライバが持った携帯電話機の電源がオンでなければオンにした後、該携帯電話機を、電源オフまたはドライブモードの状態にし、その後前記ドライバが前記エンジンを停止させると、前記携帯電話機の電源を、前記携帯電話機が電源オフの状態ならばオンにし、前記携帯電話機がドライブモードであるならば、該モードを解除する、携帯電話機の制御方法。
【請求項３】
ＲＦＩＤで使用できる無線帯の相異なる複数の所定の周波数の電波を照射可能で、これら電波のうちアクティブな電波の所定の組み合わせに応じて、該電波を受信した携帯電話機の電源のオン／オフおよび動作モードの制御を行う携帯電話機制御装置。
【請求項４】
各周波数のＲＦＩＤリーダライタを含む、請求項３に記載の携帯電話制御装置。
【請求項５】
前記の所定の周波数の電波の数が３つである、請求項３または４に記載の携帯電話制御装置。
【請求項６】
携帯電話機において、
請求項３に記載の携帯電話機制御装置から照射された各周波数の電波を検出する電波検出部と、
前記電波検出部で検出された電波の組み合わせに応じて前記携帯電話機を遷移させるべき電源状態または動作モードを示す制御信号を出力する解析部と、
前記解析部から出力された制御信号に応じて前記携帯電話機の電源状態または動作モードを切り替える信号を出力する回路制御部と、
前記回路制御部から電源オフの切替信号が出力されると、該携帯電話機の電源部をオフし、その後、前記解析部から前記携帯電話機の電源部をオンにする信号が出力されると、この信号を直接受けて前記携帯電話機の電源部をオンにする電源制御部と
を有する携帯電話機。
【請求項７】
前記電波検出部は、前記携帯電話機制御装置内の対応するＲＦＩＤリーダライタからの要求に応じて、データの出力・書き換えを行うタグ回路と、前記携帯電話機制御装置内の対応するＲＦＩＤリーダライタから照射された電波を受信し、また前記タグ回路からのデータを前記ＲＦＩＤリーダライタに送信する送受信部と、前記送受信部で指定された電波が受信されたかどうかを検出する電波検出回路を含む、請求項６に記載の携帯電話機。
【発明の詳細な説明】
【技術分野】
【０００１】
本発明は、携帯電話機の使用が他人の迷惑となるような場所での携帯電話機の使用を抑制するように携帯電話機を制御する方法に関する。
【背景技術】
【０００２】
映画館や、劇場、公共施設等、携帯電話機の使用が著しく他人の迷惑になるような閉じた空間がある。このような空間での電源オフやマナーモードへの移行は、個人のマナー・モラルに任せられており、現状守られているとは言い難い。
【０００３】
なお、特許文献１は、単一の無線波を使用し、外部からの自動制御で携帯電話等の無線送受信装置の動作を停止、または再起動し、携帯電話の着信音による他人への迷惑を防止する無線送受信装置を開示している。
【特許文献１】特開２００３−８７３９９号公報
【発明の開示】
【発明が解決しようとする課題】
【０００４】
本発明の目的は、携帯電話機の使用が他人の迷惑となり、さらには禁止されているような場所において、携帯電話機の使用を抑制する、携帯電話機の制御方法、携帯電話機制御機構、および携帯電話機を提供することにある。
【課題を解決するための手段】
【０００５】
ＲＦＩＤ（Ｒａｄｉｏ  Ｆｒｅｑｕｅｎｃｙ  Ｉｄｅｎｔｉｆｉｃａｔｉｏｎ）で使用できる無線帯の相異なる複数の所定の周波数の電波を用いる携帯電話制御装置を、携帯電話機の使用が他人の迷惑となるような閉空間の入口エリアと出口エリアに設置し、携帯電話制御装置(ＲＦＩＤリーダライタ）から電波を照射する。この電波を受信した携帯電話機は、アクティブな電波の組み合わせに応じた制御（電源オン/オフ、動作モードの制御）を行う。
【０００６】
閉空間の入口にユーザが入ると、携帯電話機の電源がオンでなければオンにした後、該携帯電話機を、電源オフまたは所定の動作モードの状態にし、その後ユーザが閉空間の出口に出てくると、携帯電話機の電源を、携帯電話機が電源オフの状態ならばオンにし、携帯電話機が所定の動作モードであるならば、該モードを解除する。
【発明の効果】
【０００７】
本発明は、ＲＦＩＤ無線帯の周波数を複数組み合わせ、閉空間の入口エリア、出口エリアにて携帯電話機を制御することで、ある閉空間において迷惑となるような携帯電話の使用を、遠隔操作にて規制できる効果がある。
【０００８】
また、閉空間に入る前に電源をオフにした場合、閉空間から出る場合に電源をオン状態に復旧するので、携帯電話機の使用者は携帯電話機の使用を規制される閉空間において、電源のオン/オフを意識する必要がない。
【０００９】
携帯電話機の制御を行うのに、閉空間の入口エリア、出口エリアにおいて検出すべき無線の電波があるかどうかを判定するだけであり、ＲＦＩＤで使用されるようなコマンドデータの解析回路を必要としない。このため、携帯電話機の解析部も単純な組み合わせ回路にて実現できる。さらに、電波の検出は、その回路への電力（電流）の発生のみを監視し検出するため、従来の無線タグ回路も併用して使用できる。
【発明を実施するための最良の形態】
【００１０】
次に、本発明の実施の形態について図面を参照して説明する。
【００１１】
図1は本発明の一実施形態のシステム構成を示している。閉空間３の入口エリア４Ｘに携帯電話機制御装置１Ｘ１、１Ｘ２が設置され、閉空間３の出口エリア４Ｙに携帯電話機制御装置１Ｙが設置されている。
【００１２】
携帯電話制御装置１Ｘ１、１Ｘ２、１Ｙは、図２Ａに示すように、それぞれ電波Ａ、電波Ｂ、電波Ｃを送受信するＲＦＩＤリーダライタ１１Ａ、１１Ｂ、１１Ｃから構成されている。なお、以下において、携帯電話制御装置１Ｘ１、１Ｘ２、１Ｙを区別しない場合、携帯電話制御装置１と称す。
【００１３】
携帯電話機２は、図２Ｂに示すように、電波Ａ用の送受信部１１Ａ、タグ回路１２Ａ、電波検出回路１３Ａ、電波Ｂ用の送受信部１１Ｂ、タグ回路１２Ｂ、電波検出回路１３Ｂ、電波Ｃ用の送受信部１１Ｃ、タグ回路１２Ｃ、電波検出回路１３Ｃ、解析部１４、回路制御部１５、電源制御部１６、電源部１７を有している。なお、携帯電話機本来の入力回路、表示回路、処理回路等は本発明とは直接関係がないため、図示が省略されている。
【００１４】
送受信部１１Ａ、１１Ｂ、１１Ｃは、携帯電話制御装置１内の各ＲＦＩＤリーダライタ１Ａ、１Ｂ、１Ｃから照射された電波Ａ、Ｂ、Ｃを受信し、各回路１２Ａ、１２Ｂ、1２Ｃへ電力（電流）を供給する。また、送受信部１１Ａ、１１Ｂ、１１Ｃは、各タグ回路１２Ａ、１２Ｂ、１２Ｃからのデータを携帯電話制御装置１に送信する。タグ回路１２Ａ、１２Ｂ、１２Ｃは、従来の無線ＩＣタグ回路で、ＲＦＩＤリーダライタ１Ａ、１Ｂ、１Ｃからの要求に応じて、データの出力・書換えを行うものである。電波検出回路１３Ａ、１３Ｂ、１３Ｃは、各送受信部１１Ａ、１１Ｂ、１１Ｃでそれぞれ指定された周波数の電波Ａ、Ｂ、Ｃを受信したかどうかを検出する回路で、検出した場合はその旨を解析部１４へ通知する。本電波検出回路は、電圧（電流）の発生を監視する簡単な作りのものである。解析部１４は、各電波検出回路１３Ａ、１３Ｂ、１３Ｃからの情報を元に、携帯電話機２をどのような制御モードに遷移させるかの解析を行い、その結果として回路制御部１５、電源制御部１６へ制御モードを通知する制御モード通知信号１８、１９を出力する。解析部１４から通知される制御モードは本実施形態では、表1に示される４つである。
【００１５】
【表１】
2010068392.tif 000003
【００１６】
回路制御部１５は、携帯電話機２の電源がオンの時のみ動作可能で、解析部１４より通知された制御モードが示すモードになるように携帯電話機２の制御を行う。例えば、電波Ａと電波Ｂが検出された場合（制御モード１）、携帯電話機２をマナーモードへと遷移させる。電波Ａと電波Ｃが検出された場合（制御モード２）、携帯電話機２をドライブモードへと遷移させる。電波Ｂと電波Ｃが検出された場合（制御モード３）、携帯電話機２の電源（電源部１７）をオンする。電波Ａと電波Ｂと電波Ｃが検出された場合（制御モード４）、携帯電話機２の電源（電源部１７）をオフする。回路制御部１５は、制御モードが「４」（電源オフ）である時は、携帯電話機２の電源を電源制御部１６によりオフに遷移させた後、電源制御部１６のスイッチをオン側に切り替える指示を出す。電源制御部１６は、解析部１４からの電源オンの制御モード通知信号１９を、スイッチがオン側の時のみに電源部１７へ送り、携帯電話機２の電源をオンするように指示する。
【００１７】
次に、本実施形態の動作を説明する。
【００１８】
携帯電話機２を持ったユーザが、入口エリア４Ｘの携帯電話機制御装置１Ｘ１の電波照射エリアに入ると、携帯電話機制御装置１Ｘ１のそれぞれＲＦＩＤリーダライタ１Ｂ、１Ｃから送信された電波Ｂ、Ｃが送受信部１１Ｂ、１１Ｃで受信され、電波検出回路１３Ｂ、１３Ｃで検出される。解析部１４は、電波Ｂ、Ｃが検出されたことをそれぞれ電波検出回路１３Ｂ、１３Ｃから通知されると、表1から携帯電話機の制御モードが「３」であると解析し、回路制御部１５、電源制御部１６を経て電源部１７をオンにする。
【００１９】
携帯電話機２を持ったユーザが次に、入口エリア４Ｘの携帯電話機制御装置１Ｘ２の電波照射エリアに入ると、携帯電話機制御装置１Ｘ２のそれぞれＲＦＩＤリーダライタ１Ａ、１Ｂ、１Ｃから送信された電波Ａ、Ｂ、Ｃが送受信部１１Ａ、１１Ｂ、１１Ｃで受信され、電波検出回路１３Ａ、１３Ｂ、１３Ｃで検出される。解析部１４は、電波Ａ、Ｂ、Ｃが検出されたことをそれぞれ電波検出回路１３Ａ、１３Ｂ、１３Ｃから通知されると、表1から携帯電話機２の制御モードが「４」であると解析し、回路制御部１５、電源制御部１６を経て電源部１７をオフにする。この後、回路制御部１５より、電源オフの制御モード通知を受信した電源制御部１６は、自内のスイッチをオン側へと切り替える。これにより、携帯電話機制御装置１からの制御モードが「３」（電源オンモード）であった場合に、解析部１４からの電源オンモード通知信号１９を電源制御部１６にバイパスできるようになる。逆に、本スイッチがオン側に切り替わらない限り（一度、携帯電話機制御装置１から電源オフモードへの移行制御が行われない限り）、電源オン要求の受信によって携帯電話機２の電源をオン状態に移行できない。これはユーザが閉空間３を出る時に、携帯電話機２を閉空間３へ入る前の携帯電話機２の状態へ戻すために必要な仕組みとなる。
【００２０】
ユーザが閉空間３から出口エリア４Ｙへ出ると、携帯電話機２は、携帯電話機制御装置１Ｙから電波Ｂ、Ｃ（電源オン要求）を受信する。ここで、電源制御部１６のスイッチはオン側であるので携帯電話機制御装置１Ｙからの電源オン要求が電源部１７に入力される。よって、携帯電話機２の電源を閉空間３に入る前のオン状態へと復旧できる。閉空間３に入る前の状態が電源オフであるならば、携帯電話機制御装置１の電源オン／オフ要求は受け付けられず、スイッチもオフのままである。このため、閉空間３から出る場合も電源オフの状態が維持されることになる。
【００２１】
なお、入口エリア４Ｘにユーザが入ったとき携帯電話機２の電源がオンの場合、携帯電話機制御装置１Ｘ１からの電源オン通知は無視され、次の携帯電話機制御装置１Ｘ２からの電源オフ通知を受信することとなり、携帯電話機２の電源はオフ状態へと移行する。
【００２２】
また、携帯電話機制御装置１Ｘ２からの制御モードがマナーモードの場合、携帯電話機２は携帯電話機制御装置１Ｘ２でマナーモードに移行させられる。そして、ユーザが閉空間３から出口エリア４Ｙに出てくると、携帯電話機制御装置１Ｙによって携帯電話機２はマナーモードを解除され、電源オンになる。
【００２３】
本実施形態は、従来のＲＦＩＤと混在可能な作りとなるため、ＲＦＩＤとしての使用法も併せて具備できる。
【００２４】
本実施形態では、ＲＦＩＤ無線帯の使用する周波数を３つとしているが、使用周波数を４つ以上にし、携帯電話機を制御する動作モードを増やすことも考えられる。
【００２５】
また、閉空間という観点から、本発明の自動車等への適用も考えられる。この場合、図３に示すように、エンジン始動・停止検出回路５を携帯電話機制御装置１に接続し、エンジン始動時に、携帯電話機２の電源をオフまたはドライブモードへ移行し、エンジン停止時に携帯電話機２の電源をオンしまたはドライブモードを解除する。同様に、バスでは、乗車口、降車口での上記の実施形態と同様の携帯電話機制御が考えられる。
【００２６】
図１の携帯電話機制御装置１Ｘ１と１Ｘ２を統合してもよい。さらに、図１の携帯電話制御装置１Ｘ１と１Ｘ２と１Ｙを統合し、別途設けたセンサによってユーザが閉空間３に入ろうとしているのか、閉空間３から出たのかを検出して、携帯電話機制御装置の動作モードを切り替えてもよい。
【図面の簡単な説明】
【００２７】
【図１】本発明の一実施形態のシステム構成図である。
【図２Ａ】携帯電話機制御装置のブロック図である。
【図２Ｂ】携帯電話機のブロック図である。
【図３】本発明を自動車に適用した場合の携帯電話機制御装置の構成を示す図である。
【符号の説明】
【００２８】
１Ｘ１、１Ｘ２、１Ｙ  携帯電話機制御装置
１Ａ、１Ｂ、１Ｃ      ＲＦＩＤリーダライタ
２                    携帯電話機
３                    閉空間
４Ｘ                  入口エリア
４Ｙ                  出口エリア
５                    エンジン始動・停止検出回路
１１Ａ、１１Ｂ、１１Ｃ  送受信部
１２Ａ、１２Ｂ、１２Ｃ  タグ回路
１３Ａ、１３Ｂ、１３Ｃ  電波検出回路
１４                    解析部
１５                    回路制御部
１６                    電源制御部
１７                    電源部
１８、１９              制御モード通知信号
【図１】
2010068392.tif 000004
【図２Ａ】
2010068392.tif 000005
【図２Ｂ】
2010068392.tif 000006
【図３】
2010068392.tif 000007